(57)【要約】【課題】仕様詰の困難さからのどんぶり勘定や実績工数に頼らざるを得ない価格決定、設備立上時の莫大な費用・期間・負担といった混乱等、開発型ものづくりにおいて負のスパイラルからの脱出。並びに受注側の派遣形態や業務委託に頼らないアウトソーシングの付加価値を増し、設計専門業の存在価値と存続を両立させる。【解決手段】  動作する機構設計を伴う生産設備の受託制御設計において、見積方法を具体化する事により、見積精度を向上し設計コストの明示化と受託仕様詰の短縮を図る。また、成果物の細分化を行う事により、汎用化が著しく難しい開発分野での外注設計においても、正当なリソース流用による設計コスト削減と納期短縮、キャッシュフローの健全化を図る。並びに成果物の細分化の為、段階的に仕様を決定して行く事が出来、機械設計やプロセス設計と並行して制御設計が可能になり、仕様詰の効率化や機構設計やプロセス設計の変更にも対応し易くなる。  更に、汎用化する事により設計作業の自動化が可能になり、費用削減と納期短縮を図る。【選択図】図１
2018014067.tif 000002
【特許請求の範囲】
【請求項１】
発注側と打合せし、電源を供給する部品の点数、接続する入出力信号点数、制御盤・制御Ｂｏｘ等の電装配置スペースの個数・サイズ・配置場所、Ｍｏｔｏｒ等のアクチュエータの軸数、上下流装置・ホストとのデジタルＩ／Ｏ通信が存在する場合はその入出力点数を決定する。イーサーネット、シリアル通信等の特殊ユニットが必要な場合は、アクチュエータの軸数に加算する。Ｑ１〜Ｑ５が決定したら、見積係数ｋ１〜ｋ１２と見積定数Ｃ１〜Ｃ１２を使用し、図１の見積額欄に従って見積額を算出する。
【請求項２】
成果物の細分化を行う事により、汎用化が著しく難しい開発分野での外注設計においても、正当なリソース流用による設計コスト削減と納期短縮、キャッシュフローの健全化を図る。並びに成果物の細分化の為、段階的に仕様を決定して行く事が出来、機械設計やプロセス設計と並行して制御設計が可能になり、仕様詰の効率化や機構設計やプロセス設計の変更にも対応し易くなる。
【請求項３】
ハード設計における成果物を▲１▼電源系統表、▲２▼電源回路図、▲３▼概要部品表、▲４▼Ｉ／Ｏリスト、▲５▼Ｉ／Ｏ系統図、▲６▼制御盤配置図、▲７▼制御盤加工図、▲８▼詳細部品表▲９▼ドライバー接続図、▲１０▼Ｉ／Ｏ結線図、▲１１▼Ｉ／Ｆ接続図とし、それぞれに納期を設定し納品を完了させる。
【請求項４】
機械構想図・機械組み図等を見ながら客先と打合せをし、電源供給が必要なアクチュエータやアンプ等、電源供給の系統を設計し、電源系統表を半自動で作成する。同時にサーキットプロテクター等、ブレーカー容量・型式等を自動計算させる。
【請求項５】
電源系統表内のデータを使用し電源回路図を、また設計したＩ／Ｏリスト内のデータを使用しＩ／Ｏ接続図を、ＣＡＤ上のマクロ言語によりパターン化されたブロック等を使用して半自動で作成する。
【請求項６】
ソフト設計における成果物である下位プログラムを汎用化して使用許諾型にて提供し、上位プログラムをカスタマイズ型にする事により、著作権の分散を可能にした。これにより不可能なはずの開発における極限の資産流用性と著作権維持の両立を図った。本発明の下位プログラムＧａｌａｘｙ  Ｄｒｉｖｅは、ハードウェアの制御ソフトを提供するものであるが、最下位のハードウェアからユーザーインターフェイスに近づくにつれて上位になる一般的なプログラムモデルと決定的に異なる点は、最終的なハードウェアへの指令はあくまで上位から直接行うというモデルである。これによりハードウェア・インターロックに近い制御を実現し、高出力なシステムで最重要と考えられる『安全』を確保できる事に加え、発注者あるいはユーザーがブラックボックスの組込ソフトを使用することでの不安や敬遠・混乱を無くす事によって、アウトソーシングによる制御設計のデメリットを解消した。更にオープンソースでの著作権問題、技術流出の懸念も同時に解決した。
【請求項７】
発明した仕様フォーマットの項目を埋めて行くだけで詳細仕様が決定し、これにより仕様詰のスキルや時間・労力が軽減され、仕様詳細を明示化することにより、納入後の行き違いの軽減と発注側の製品履歴管理の利便性を図った。また、仕様フォーマットへのデータ入力により、プログラム内のデバイスコメントが自動で作成されるシステムも発明した。
【発明の詳細な説明】
【技術分野】
【０００１】この発明は生産設備等の受託制御開発・設計サービスを商品化し、設計アウトソーシングの付加価値を増し、ものづくりの健全化を図るものである。
【背景技術】
【０００２】  とりわけ革新的な実績の少ない開発プロジェクトの場合、構想段階での数値上の検証より製作後の実証が低コストで精度も高い結果が得られると容易に想定される為、設計開始前の詳細仕様の決定は困難を要する。その為作業工数による金額算出が極一般的だが、発注側は見積額を下げる為、見積時には仕様を簡略化し、発注後に仕様の細部を明らかにして受注側に負担を強いる可能性がある。更に、工数による価格算出の為、発注者または同社内の管理者側が発注額または人件費を削る為に、工程管理や納期短縮にて工数即ち設計コストの増加を抑えようとする可能性がある。また、受注または作業者側もこれを見越す為に見積もりや仕様詰に時間や労力を費やさなければならず、結果的にどんぶり勘定や実績工数による価格決定に頼らざるを得なくなる。
これにより『設計期間長＝設計工数大＝設計を含めた設備製作コスト大』という局部的な錯覚が起り、自然現象かの様に設計開始が遅れ設計終了が早まり、構想・設計期間が当然のように短縮され、結果的に設備立上に莫大な費用・期間・負担が生じ、発注側はその実績・経験を踏まえ、次回プロジェクトで保険の為に更なる短納期を要求しなければならなくなり、結果的に更なる立上時に混乱が生じる、負のスパイラルに陥る危険がある。
一方では、発注側が人件費削減と設計ノウハウ保持、著作権の囲い込みを同時に得る為に、派遣社員や業務委託契約といった不平等な労働形態が蔓延する可能性も同時に生じる。また受託側も前述の通り受注前の仕様詰に困難を要し、製造責任においては最終的に莫大な責任負担を強いられる可能性や支払サイト等キャッシュフローのリスク回避から同方向へと自然に誘導されてしまう可能性も同期してしまう。
【先行技術文献】
【特許文献】
【０００３】
【特許文献１】
【発明の概要】
【発明が解決しようとする課題】
【０００４】  本発明は、ものづくりの負の連鎖を打開し、大企業の安全・健全なアウトソーシングによる人件費削減と中小・零細企業にも安全・安心・健全にビジネスが行えるよう目指すものである。また、長年に渡り問題になっていた関係者外・海外への技術流出の抑止効果も大いに期待される。
【課題を解決するための手段】
【０００５】  間接費の大きい企業はプロセスや機構・製品等の次元の高い範囲にて資源やノウハウ・利益を大いに獲得して頂き、制御設計のノウハウの一部においては設計専門業にも著作権等によって守られる事により、零細企業でも健全にビジネスの存続が出来る様にする。
この為には特許制度の有効活用が正に不可欠である。
【発明の効果】
【０００６】  極めて困難な、開発案件における設計作業を専門の零細企業が出来る限り汎用化して自動化する事により、設計コストを下げ、納期の短縮を図り、設計ミスを低減する事が可能になり、業界全体の繁栄・効率改善・労働力の有効活用等、バランスの取れたものづくりに寄与する。これにより受注側の派遣形態や業務委託に頼らないアウトソーシングの付加価値を増し、設計専門業の存在価値と存続を両立させる。
【図面の簡単な説明】
【０００７】
【図１】  本発明のＧａｌａｘｙ  Ｄｒａｗｉｎｇモデルである。
【図２】  本発明のＧａｌａｘｙ  Ｄｒｉｖｅモデルである。
【図３】  本発明の仕様フォーマットである。
【発明を実施するための形態】
【０００８】  ハード設計（Ｇａｌａｘｙ  Ｄｒａｗｉｎｇ）
図１のＧａｌａｘｙ  Ｄｒａｗｉｎｇモデルは、生産設備等のハードウェアにおける制御設計のビジネスモデルを表す。制御設計のボリュームを数値化し、見積額を明確化する。発注側と打合せし、電源を供給する部品の点数、接続する入出力信号点数、制御盤・制御Ｂｏｘ等の電装配置スペースの個数・サイズ・配置場所、Ｍｏｔｏｒ等のアクチュエータの軸数、上下流装置・ホストとのデジタルＩ／Ｏ通信が存在する場号はその入出力点数を決定するだけで、見積額の算出が可能である。
【０００９】  図２のＧａｌａｘｙ  Ｄｒｉｖｅモデルは、生産設備等のソフトウェアにおける制御設計のビジネスモデルを表す。発注側へ下位の汎用プログラムをインストールにて提供し、上位プログラムをカスタマイズしてソースファイルを提供する。
【００１１】  開発案件の制御設計をアウトソーシングする際に、発注側においてもまた受注側においてもスキルと手間と時間と労力を要するのが仕様詰である。仕様フォーマットを発明し、仕様詰の汎用化と設計作業の自動化を図った。
【図１】
2018014067.tif 000003
【図２】
2018014067.tif 000004
【図３】
2018014067.tif 000005